(57)【要約】本開示は、カメラ・ボディの表面上に形成される第一の画像ディスプレイを含むデジタル・カメラに関する。該デジタル・カメラはまた、カメラ・ボディにマウントされる第二の画像ディスプレイをも含む。第二の画像ディスプレイは、第一および第二の画像ディスプレイが複合表示領域を提供する少なくとも一つの閲覧位置に展開可能である。
2010522474.tif 000002
【特許請求の範囲】
【請求項１】
カメラ・ボディの表面上に形成された第一の画像ディスプレイと；
カメラ・ボディにマウントされた第二の画像ディスプレイとを有するデジタル・カメラであって：
前記第二の画像ディスプレイは、第一および第二の画像ディスプレイが複合表示領域を与える少なくとも一つの閲覧位置に展開可能である、
デジタル・カメラ。
【請求項２】
前記第二のディスプレイが取り外し可能なハウジング内に配されている、請求項１記載のデジタル・カメラ。
【請求項３】
前記第二のディスプレイが当該カメラと無線通信する、請求項２記載のデジタル・カメラ。
【請求項４】
前記第二のディスプレイの前記取り外し可能なハウジングがさらにバッテリーを有する、請求項２記載のデジタル・カメラ。
【請求項５】
前記第一または第二の画像ディスプレイの少なくとも一つがタッチスクリーンである、請求項１記載のデジタル・カメラ。
【請求項６】
カメラ・ボディにマウントされた第三のディスプレイをさらに有する請求項１記載のデジタル・カメラであって、前記第三のディスプレイは、第一、第二および第三の画像ディスプレイが複合表示画像領域を与える少なくとも一つの閲覧位置に展開可能である、デジタル・カメラ。
【請求項７】
前記第二および第三の画像ディスプレイがそれぞれハウジング内に含まれている、請求項６記載のデジタル・カメラ。
【請求項８】
前記第二および第三の画像ディスプレイのそれぞれについてのハウジング内に少なくとも一つのスピーカーをさらに有する、請求項７記載のデジタル・カメラ。
【請求項９】
前記第二および第三の画像ディスプレイは複数の異なる表示位置に動かせる、請求項６記載のデジタル・カメラ。
【請求項１０】
前記複数の異なる表示位置がさらに凹状の位置を有する、請求項９記載のデジタル・カメラ。
【請求項１１】
前記複数の異なる表示位置がさらに凸状の位置を有する、請求項１０記載のデジタル・カメラ。
【請求項１２】
当該カメラのオーディオ出力のための少なくとも一つのスピーカーをさらに有する、請求項１記載のデジタル・カメラ。
【請求項１３】
前記少なくとも一つのスピーカーが前記第二のカラー画像ディスプレイのボディ上にある、請求項１２記載のデジタル・カメラ。
【請求項１４】
前記少なくとも一つのスピーカーが当該カメラのボディ上にある、請求項１２記載のデジタル・カメラ。
【請求項１５】
前記第二の画像ディスプレイが当該デジタル・カメラのボディにヒンジで付けられたハウジング内に含まれている、請求項１記載のデジタル・カメラ。
【請求項１６】
前記第二の画像ディスプレイが複数の異なる表示位置に動かせる、請求項１５記載のデジタル・カメラ。
【請求項１７】
前記第二の画像ディスプレイが当該デジタル・カメラのボディに格納式にマウントされる、請求項１記載のデジタル・カメラ。
【請求項１８】
前記第二の画像ディスプレイが、複数の異なるアスペクト比をもつ複数の複合表示画像領域に対応する複数の異なる位置に展開可能である、請求項１７記載のデジタル・カメラ。
【請求項１９】
前記第二のディスプレイが、当該カメラからのオーディオ出力のための少なくとも一つのスピーカーを有する取り外し可能なハウジング内に配される、請求項１記載のデジタル・カメラ。
【請求項２０】
前記第二のディスプレイが、当該デジタル・カメラの操作のためのリモコンを含む取り外し可能なハウジング内に配される、請求項１記載のデジタル・カメラ。
【請求項２１】
前記第二の画像ディスプレイと当該デジタル・カメラとの間の無線通信インターフェースをさらに有する、請求項２０記載のデジタル・カメラ。
【請求項２２】
撮像物を表示する方法であって：
第二の画像ディスプレイに隣接する第一の画像ディスプレイによって形成される複合表示領域をもつカメラを提供する段階と；
前記複合表示領域の少なくとも部分にわたって延在する画像を表示する段階とを有する、
方法。
【請求項２３】
前記複合表示領域がさらに、前記第一のディスプレイに隣接して配される第三のディスプレイの少なくとも一部を含む、請求項２２記載の方法。
【請求項２４】
カメラ・ボディの表面上に形成された画像ディスプレイであって、前記画像ディスプレイの一部は取り込まれるべき画像の構図を決めるための動きプレビュー画像を表示するためのプレビュー表示領域を含む、画像ディスプレイと；
前記プレビュー表示領域として使われる前記画像ディスプレイの前記部分を制御するためのユーザー・インターフェースとを有する、
デジタル・カメラ。
【発明の詳細な説明】
【技術分野】
【０００１】
本発明は概括的には写真術および写真装置に関し、より詳細には二つ以上の画像ディスプレイによって形成される複合表示領域を提供するデジタル・カメラに関する。
【背景技術】
【０００２】
従来のデジタル・カメラは典型的には液晶ディスプレイ（LCD:  liquid  crystal  display）または光学式発光デバイス（OLED:  Optical  Light-Emitting  Device）コンポーネントといった、撮影者がカメラをより効果的に使うことを許容する表示要素を提供する。たとえば、表示要素は取り込んだ最後の画像や以前に記憶した他の画像のビューを示すことができ、あるいはメニュー、メッセージ、コマンド・ボタンまたは撮影者のための他の操作補助の配列を呈示してもよい。
【０００３】
デジタル撮像における継続的な進歩および改良は、デジタル・カメラの全体的な機能とともに、その操作上の複雑さをも高めてきた。デジタル画像取り込み装置の高められた機能のうちには、動画画像およびスチール画像の両方を取得するといった二つ以上の型の画像を取得する能力がある。閲覧を容易にするため、Misawaらに発行された「多モード再生装置およびデジタル・カメラ」と題する米国特許第7,145,601号は、撮影者がスチール画像または動画を閲覧のために選択することを可能にするインデックス・プリント画面レイアウトを記載している。複数の画像型を示すためのこれらの機能をサポートする分割画面ソリューションはたとえば、Shiojiらに発行された「より小さな動画フレームを形成する機能のあるデジタル・カメラ」と題する米国特許第7,057,658号に記載されている。Shiojiでは、縮小動画像がより大きなディスプレイの一部分内に示される。Tamuraによる「柔軟なディスプレイをもつカメラ」と題する米国特許出願第2003/0160892はカメラを備えた単一の柔軟なディスプレイであって、別個の表示セクションにセグメント分割されることのできるものを記載している。
【０００４】
改良された適応可能な操作者インターフェース・コントロール〔制御部〕に対する必要性に応えるため、追加的な表示コンポーネントの使用が提案されている。たとえば、Venturinoらによる「デジタル情報／画像処理システムのための相互ディスプレイ・サポート」と題する本願と共通に譲渡された米国特許出願第2004/0051804号は、二つの表示要素をもつデジタル・カメラを開示している。第一の表示要素は、他の通常のデジタル・カメラと同様に、画像表示のために使用される。第一の表示要素より小さい第二の表示要素は状態情報および操作コントロールを提供するために使われる。Niikawaらへの「複数ディスプレイをもつデジタル・カメラ」と題する米国特許第6,812,967号は、改善された焦点を達成するためにLCDおよび電子ビュー・ファインダー（EVF:  Electronic  View  Finder）の両方を備えたカメラを記載している。
【０００５】
デュアル表示要素は、若干の型のポータブル電子装置の表示機能を拡張するために用いられてきた。たとえば、Sawayamaらによる「折り畳み可能な携帯電話」と題する米国特許出願第2004/0014488号は、当該装置の折り畳まれた状態または開いた状態に従って適宜有効または無効にされる複数の別個のディスプレイをもつハンドヘルド型携帯電話装置を記載している。この型の装置については、その装置がどのように使われているかに依存して、一時には一方または他方のディスプレイが有効にされることができる。二つのディスプレイをもつもう一つのハンドヘルド型装置がWillrichによる「デジタル・モバイル電子手帳」と題する米国特許出願第2006/0183505に記載されている。この型の携帯情報端末（PDA）については、二つのディスプレイをもつことが、たとえば追加的な制御機能、拡大された画像表示領域または二つ以上の画像取り込み周辺装置のそれぞれについての別個の領域のような特徴を提供できる。
【０００６】
二つ以上の表示要素をもつハンドヘルド型コンピューティングおよび画像処理装置は提案されているが、提起されている操作者表示ソリューションはまだ今日のデジタル・カメラ撮影者のいくつかの必要性に応えるものとはなっていない。たとえば、'658  Shioji  et  al.において記載されるような、より大きな画像内でさまざまな型の画像のより小さなウィンドウを示すためのディスプレイのセグメント分割は、二つの型の画像が同時に閲覧されることを許容するが、その乱雑な配置は見たり使用したりするのが難しいことがありうる。これは、動画が利用可能な場合には特に真実である。スチール画と動画の両方を一緒に収めるためにウィンドウ・サイズについて妥協するよりは、動画像をできるだけ大きなフォーマットで提供することが有利であろう。'505  Willrich開示において記載されるもののような、情報を記録および表示し操作者入力を取得するために使用されるハンドヘルド型PDAについては受け容れ可能でありうるデュアル・ディスプレイ・ソリューションは、デジタル・カメラについては簡単に適応できるものではない。これは、ハンドヘルド型PDAの表示コンポーネントは、操作者コントロールおよびファインダーとスペースを共有しなければならないからであり、要求されるシステム光学は、ディスプレイ・サイズ、取り扱いおよび閲覧のためのアクセス可能性および位置を制約するからである。
【０００７】
さらに他の必要性は、得られた画像の特性およびその可能な配置に関する。多くの型のデジタル・カメラは、水平方向の寸法が高さ寸法の二倍以上でありうるパノラマ・ビューの画像を取得することができるので、パノラマ・ビューのための好適なディスプレイ・ソリューションがいまだ必要とされている。より小さなカメラについての個別の問題は、利用可能な表示領域に関する。ディスプレイは、カメラ背面に沿って大きさで制約され、制御部、フィアンダーおよびその他の必要な構成要素とスペースを取り合う。
【０００８】
操作者が完全な画像シーケンスを意識しながら記憶されている画像を順次切り替え、表示させることを許容するような仕方で、記憶されている画像およびビデオ・シーケンスの「サムネイル・ビュー」を表示することが有利であろう。撮影者はまた、画像の組を単一のページに配置する機会を欲する。これは、単一のカメラ表示画面では使うのが難しい機能である。さらに、カメラとともに複数ディスプレイ・コンポーネントを使ういかなるソリューションも、それらの協働を調整する何らかの方法を提供して操作者にとっての有用性を最適化する必要がある。
【発明の概要】
【発明が解決しようとする課題】
【０００９】
一般的な表現では、本開示は写真術および写真装置に関し、より詳細には二つ以上の画像ディスプレイによって形成される複合表示領域を提供するデジタル・カメラに関する。
【課題を解決するための手段】
【００１０】
本発明の一つの側面は、デジタル・カメラに向けられる。該デジタル・カメラはカメラ・ボディの表面上に形成される第一の画像ディスプレイ、カメラ・ボディにマウントされる第二の画像ディスプレイを含み、第二の画像ディスプレイは第一および第二の画像ディスプレイが複合表示領域を提供する少なくとも一つの閲覧位置に展開可能である。
【００１１】
本発明のもう一つの側面は、デジタル・カメラに向けられる。該デジタル・カメラはカメラ・ボディの表面上に形成される第一の画像ディスプレイ、カメラ・ボディにマウントされる第二の画像ディスプレイを含み、第二の画像ディスプレイは少なくとも一つの閲覧位置に展開可能であり、前記第一および第二のディスプレイの一方が取り込まれるべき画像の構図を決める（composing）ための動きプレビュー画像（motion  preview  image）を提供し、第一および第二の画像ディスプレイのうちの他方が以前に取り込まれたスチール画像を提供する。
【００１２】
本発明のもう一つの側面は、デジタル・カメラに向けられる。該デジタル・カメラはカメラ・ボディの表面上に形成される画像ディスプレイを含み、該画像ディスプレイは取り込まれるべき画像の構図を決めるための動きプレビュー画像を提供する第一の表示領域および以前に取り込まれたスチール画像を表示する第二の表示領域を有する。
【００１３】
本発明のもう一つの側面は、画像を表示する方法に向けられる。該方法は第一および第二の画像ディスプレイをもつ撮像装置を用意することを含み、ここで、第二のディスプレイは、前記第一のディスプレイの可変部分が見えるようするよう展開可能であり、当該方法はさらに、前記第二の画像ディスプレイと前記第一のディスプレイの見える部分とを含む閲覧領域内に画像を表示することを含む。
【００１４】
本発明のもう一つの側面は、画像を表示する方法に向けられる。該方法は第二の画像ディスプレイに隣接する第一の画像ディスプレイによって形成される複合表示領域をもつカメラを用意し、前記複合表示領域の少なくとも部分にわたって延在する画像を表示することを含む。
【００１５】
本発明のもう一つの側面は、画像を表示する方法に向けられる。該方法は第一および第二の画像ディスプレイをもつカメラを用意し、前記第一の画像ディスプレイ上に、画像制作物を形成するためのデジタル・テンプレートを表示し、ここで、前記デジタル・テンプレートは取り込まれたデジタル・コンテンツを配置するための少なくとも一つの領域を有しており、当該方法さらに、前記第二の画像ディスプレイ上に前記取り込まれたデジタル・コンテンツを表示することを含む。
【００１６】
本発明のもう一つの側面は、画像を表示する方法に向けられる。該方法は第一および第二の画像ディスプレイをもつカメラを用意し、前記第一の画像ディスプレイ上に、画像制作物を形成するための複数ページ・デジタル・テンプレートの第一のページを表示し、ここで、前記複数ページ・デジタル・テンプレートは取り込まれたデジタル・コンテンツを配置するための少なくとも一つの領域を有しており、当該方法はさらに、前記第二の画像ディスプレイ上に前記複数ページ・デジタル・テンプレートのその後のページを表示することを含む。
【００１７】
本発明のもう一つの側面は、デジタル・カメラに向けられる。該デジタル・カメラはカメラ・ボディの表面上に形成される画像ディスプレイを含み、前記画像ディスプレイの一部は取り込まれるべき画像の構図を決めるための動きプレビュー画像を表示するためのプレビュー表示領域を含み、該デジタル・カメラはさらに、前記プレビュー表示領域として使われる画像ディスプレイの前記部分を制御するためのユーザー・インターフェースを含む。
【００１８】
本発明は、付属の図面との関連で以下の本発明のさまざまな実施形態の詳細な説明を考慮することによってより完全に理解されうる。ここで図面を参照するが、図面において、同様の参照符号は全体を通じて対応する部分を表す。
【図面の簡単な説明】
【００１９】
【図１】ある実施形態に基づく、横方向に配置されたデュアル・ディスプレイをもつカメラの平面図である。
【図２】縦方向に配置されたデュアル・ディスプレイをもつカメラの平面図である。
【図３】第一および第二のディスプレイをもち、第二のディスプレイが第一のディスプレイ上を滑動するデジタル・カメラのもう一つの平面図である。
【図４】画面上メニューが複合ディスプレイ領域に表示されている一つの実施例を示す図である。
【図５】複数の画像をもつ複数のディスプレイの実施例を示す図である。
【図６】複数の画像をもつ複数のディスプレイの代替的な実施例を示す図である。
【図７】カメラ・ボディから分離可能な第二のディスプレイを示す図である。
【図８】第一および第二のディスプレイ上で画像を操作するためのスタイラスの使用を示す図である。
【図９】画像制作物を作成するためのテンプレートをもつ複数ディスプレイを示す図である。
【図１０】操作者が選択プロセスのためにディスプレイ上の一連の画像をスクロールしていくことを可能にする画面上操作者コントロールを示す図である。
【図１１】デジタル・カメラのために第二および第三のディスプレイが設けられる代替的な実施形態を示す図である。
【図１２】複数ディスプレイのさまざまな配位およびシーンのライブ・ビューを呈示するための各ディスプレイの使用を示す図である。
【図１３】ディスプレイの相異なる諸領域への分割を示す図である。
【図１４】ビデオ・コンテンツを表示するためにコンテナを使うデジタル・カメラの実施形態である。
【図１５】第二のディスプレイをもつデジタル・カメラの基本構成要素の簡略化された概要を示すブロック図である。
【発明を実施するための形態】
【００２０】
本記述のさまざまな実施形態は図面を参照して詳細に記述される。図面において、同様の参照符号は各図面を通じて同様の部分および集合体を表す。さまざまな実施形態への言及は、本発明の範囲を限定するものではない。本発明の範囲は付属の特許請求の範囲によってのみ限定される。さらに、本明細書において述べられるいかなる例も限定することは意図されておらず、単に特許請求される発明の数多くの可能な実施形態のうちのいくつかを述べるものである。
【００２１】
本発明の実施形態は、デジタル・カメラの一部として二つ以上のディスプレイを用い、撮影者の経験およびツールセットを向上させるいくつかの高度な機能を可能にする。
【００２２】
図１は、ある実施形態に基づく、合成表示領域３２を提供するよう第一および第二のディスプレイ１４および２０を横方向に配置したデジタル・カメラ１０の平面図である。合成表示領域３２は、図１に示される点線の輪郭によって示されるように、前記二つ以上のディスプレイ１４、２０によって形成される。そこで、ある実施形態では、合成表示領域３２は前記二つ以上のディスプレイ１４、２０の全体または部分にまたがることができる。
【００２３】
第二のディスプレイ２０は、折り畳み可能なヒンジ付き構成によってカメラ・ボディ１２に格納式にマウントされており、扱いおよび保管のためにデジタル・カメラ１０がコンパクトなままであることを許容する。第一および第二のディスプレイ１４および２０は、図１に示されるように互いに対して横方向に配向されていてもよいし、図２の実施形態で示されるように縦方向に配向されて複合表示領域３２を形成してもよい。折り畳み可能なヒンジ付き構成は、デジタル・カメラ１０の取り扱いまたは携行の際に両方のディスプレイ１４および２０の表面を保護する助けとなる。
【００２４】
以前のデュアル・ディスプレイ・ソリューションと異なり、本実施形態の諸実施例は、第二のディスプレイ２０を、第一のディスプレイ１４について利用可能な機能と同様の完全な画像表示機能があるものとして提供する。この構成は、従来のカメラ・ディスプレイ・ソリューションを使ってでは利用可能でない仕方で、一連の多様な新しいカメラ機能を可能にし、そうした機能を使いやすくする。これについてはのちにより詳細に述べる。ある実施形態では、第一および第二のディスプレイ１４および２０はいずれもカラーLCDコンポーネントであり、両ディスプレイは、同じ画像の逐次的な部分を表示するときには同様の見かけを呈する。あるいはまた、異なる型のディスプレイ・コンポーネントが使用されることもでき、その場合には両方のディスプレイ１４および２０が画像を表示できる。ディスプレイ１４、２０の一方または両方がタッチスクリーン機能を含むこともできる。
【００２５】
図３Ａ、３Ｂ、３Ｃは、第一および第二のディスプレイ１４および２０を有するデジタル・カメラ１０のもう一つの平面図を示している。ここでは、第二のディスプレイ２０は第一のディスプレイ１４の上を滑動する。図３Ａは、第一および第二のディスプレイ１４および２０が、保管またはコンパクトな取り扱いのために重ねられるべくどのように配置されるかの一実施例であるが、第二のディスプレイ２０は任意的に、第一のディスプレイ１４上を滑動してその上から出る。図３Ｂは、第二のディスプレイ２０が方向Ａに滑動して出る別の実施例を示している。ここで、合成表示領域３２は、第二のディスプレイ２０に、下にある第一のディスプレイ１４の見える部分を加えたものによって形成される表示領域として定義される。図３Ｃに示されるように、最大複合表示領域３２は両方の見える画像領域の和である。滑動可能な構成では、合成表示領域３２の自動的なサイズ決定（sizing）は、画像サイズに基づいてカメラに第二のディスプレイ２０の移動を制御させることによって得ることができる。
【００２６】
従来式のディスプレイ・ソリューションでの一つの問題は、先述したように、パノラマ画像の表示について不利となりうるカメラ・ディスプレイのアスペクト比に関する。図３Ｃに示されるように、第二のディスプレイ２０は第一のディスプレイ１４と連携して、合成表示領域３２の寸法を拡大するよう使用されることができ、よってパノラマ・ビューを得ることができる。
【００２７】
同様にして、図２の縦配置を使うと、複合表示領域３２は高さを拡張できる。これは可変画像表示サイズを許容することになる。従来のカメラでは利用可能でなかった機能である。こうして、操作者は、複合表示領域３２が第一および第二のディスプレイ１４および２０両方の隣接する領域を含むよう、画像についての好ましい表示サイズを指定できる。画像表示のために必要とされうるよりも大きな領域をもつことはまた、画面上コマンド・ボタン、操作者メニューまたは他のコマンド入力ユーティリティーが表示領域を共有できるという利点をも提供する。
【００２８】
図４は、複合表示領域３２に画面上メニューが表示されている実施例を示す。図４では、パノラマ・ビュー配置が示されているが、ここで、メニュー項目２２が第二のディスプレイ２０において撮影者に呈示されている。タッチスクリーン実施形態では、撮影者は指先またはスタイラスを使ってメニュー項目２２や他のコマンド・ボタンの位置を直すことができる。
【００２９】
図５Ａおよび５Ｂは、複数の画像をもつ複数ディスプレイの実施例である。第一および第二のディスプレイ１４および２０を備えるとき、各ディスプレイは異なる画像を示すために使われることができる。両方の画像ディスプレイに並行して単一の画像を示すことに加え、異なる画像および異なる型の画像が異なるディスプレイに示されることもできる。こうして、たとえば、図５Ａでは、第一のディスプレイ１４にライブ・ビデオ２７が表示される間、取り込まれ保存された最後のスチール画像２５が第二のディスプレイ２０に表示されることができる。この仕方では、デジタル・カメラ１０は、ユーザーがレビュー・モードと取り込みモードの間の切り換えをする必要なしに画像を取り込むのを続けることができる。これは、レビュー・モードおよび取り込みモードの両方を提供しているがモード間の切り換えのためにコマンドの入力を必要とする従来式の単一ディスプレイ・デジタル・カメラ設計に対する利点である。たとえば、これら二つのモードの間の切り換えはボタン、スイッチまたはプログラムされたソフト・ディスプレイ・ボタンの使用を要求する。
【００３０】
図５Ｂは、サムネイル・スチール画像のセットとしてビデオ・キーフレームを示している。図５Ｂでは、サムネイル・スチール画像のセットは第二のディスプレイ２０に表示されることができる。ここで、このセット内のサムネイル・スチール画像は、ビデオ・キーフレーム抽出として知られる技法を使って、ビデオ画像ストリーム中の主要なシーン変化部のスチール画像を表している。ビデオ・キーフレーム抽出の例は、本願と共通に譲渡されたLouiらによる「ビデオ・セグメントの確率論的マージによるビデオ構築」と題する米国特許出願公開第2003/0058268号に見出される。この文献はここに参照によってその全体において組み込まれる。
【００３１】
別の実施形態では、図５Ｂは、保存された画像を使った、逐次的なページの対上に画像をもつストーリーブック・アプリケーションにおける第二のディスプレイ２０および第一のディスプレイ１４上のサムネイル画像２４の配置を示していることができる。制御ボタン２１は、ユーザーが、その後のページの配置または閲覧において先に進むことを許容する。一方または両方のディスプレイがタッチスクリーン技術を使っている場合には、ユーザーは、審美的に最良のレイアウトを作り出すために、スタイラスを使ってこれらのサムネイル画像をページ上で動かすことができる。同じツールを使って、ユーザーはまた、ページ上の画像のサイズを変更することもできる。ユーザーは、一連の逐次的なスクラップブック・ページ、フォトブック・ページを作成／閲覧する目的でこの機能を使ったり、あるいは複数の画像を要求する他の任意の型の写真制作物を構成／閲覧したりすることができる。
【００３２】
図６は、複数画像をもつ複数ディスプレイの代替的な実施形態である。図６では、第二のディスプレイ２０は任意的に、インデックス表示用に構成可能である。したがって、サムネイル画像２４のセットが第二のディスプレイ２０に示される。その際、第一のディスプレイ１４上に選択されたサムネイル画像の拡大されたビューを示すために、タッチスクリーンまたは他のポインティング方法が使用されることができる。
【００３３】
図７は、カメラ・ボディ１２から分離可能な第二のディスプレイ２０を示している。図７では、ディスプレイ２０との間のデータ転送用の接続は、図６において点線で示されるような無線接続２８を通じてであってよいが、これに限定されるものではなく、あるいは有線結線されることもできる。無線接続のために、バッテリー電源または他の何らかの電源が第二のディスプレイ２０のために設けられる必要がある。ある実施形態では、第二のディスプレイ２０は、図１および図２に示されるように、第一のディスプレイ１４と並べてぱちんとはめる、あるいは他の仕方で付けることができる。よって、データ通信および電源電力は機械的接続とともに提供される。その際、のちにより詳細に述べるように、第二のディスプレイ２０はリモート使用のために取り外すことができる。他の実施形態と同様、ディスプレイ１４および２０の一方または両方はスチール画像または動画のために使うことができる。
【００３４】
リモート実施形態についてのある任意的な機能は、デジタル・カメラ１０の動作についてのある種のリモコンを提供するために第二のディスプレイ２０が使用されることを許容する。たとえば、図７に示されるように、第二のディスプレイ２０としてはたらき、デジタル・カメラ１０から取り外し可能なハウジング３４内にあるタッチスクリーン上に、操作者コントロール２６が設けられることができる。この取り外し可能な状態において、第二のディスプレイ２０は、該ディスプレイ内に保存されている画像（スチールまたはビデオ）を表示するスタンドアローンの画像表示装置として使用されることができる。
【００３５】
図８は、第一および第二のディスプレイ上で画像を操作するためのスタイラスの使用を例解している。図８に示されるように、スタイラス３０は、画像またはアルバム・ページ上に記録するための手書きされた注釈を作るために使用されることができる。スタイラス３０はペンシル、ペンまたはポインティング作用を提供するために必要な大きさをもつ他のオブジェクトであることができる。指接触もスタイラスとしてはたらくことができる。
【００３６】
図９は、画像制作物を作成するためのテンプレートをもつ複数ディスプレイを示している。ある実施形態では、ディスプレイ１４および２０をもつデジタル・カメラ１０は、本願と共通に譲渡されたMcIntyreへの「所定の基準をもつ画像制作物を作成するための方法ソフトウェア」と題する米国特許第7,092,966号に記載されるようなセットアップ・ソフトウェアを使って画像制作物を作成するためのテンプレートを与えられることができる。上記文献はここに参照によりその全体において組み込まれる。デュアル・ディスプレイ１４および２０の追加された利点をもって、画像制作物を作成するための手順の一部またはすべては、今では、米国特許7,092,966において記載されるように別個のコンピュータ・ワークステーションを必要とするのではなく、デジタル・カメラ１０自身の上で直接実行できる。
【００３７】
図９では、ホスト・コンピュータからまたはネットワーク・ホスト・コンピュータからダウンロードされたテンプレート１００がディスプレイ２０上に保存され、表示されることができる。テンプレート１００からのコンテナ１２０、１３０、１４０、１５０、１６０および１７０はサムネイル形式でディスプレイ２０上に表示されることができる。一つまたは複数のタグ１２１、１３１、１４１、１５１、１６１および１７１がそれらの対応するコンテナ１２０、１３０、１４０、１５０、１６０および１７０内に示されることができる。ここで、タグ１２１、１３１、１４１、１５１、１６１および１７１は米国特許7,092,966に記載されているのと同じ全体的な機能を実行し、コンテナ内で与えられる画像についてのさまざまなメタデータを提供する。その際、カメラ操作者はカメラに保存されている、あるいはネットワークまたはホスト・コンピュータからダウンロードされた画像を選択して、対応するコンテナ１２０、１３０、１４０、１５０、１６０および１７０を埋め、画像制作物のセットアップの一部または全部を完成させることができる。第二の画面２０を使って、操作者は対応するコンテナ１２０、１３０、１４０、１５０、１６０および１７０のそれぞれについて異なる画像を閲覧および選択することができる。デジタル・カメラ１０に保存されている画像から利用可能な、あるいは他の仕方でデジタル・カメラ１０に利用可能な動画像またはスチール画像が選択されることができる。
【００３８】
図１０は、選択プロセスのために操作者がディスプレイ１４上で一連の画像をスクロールしていくことを可能にする画面上操作者コントロール１８０を示している。図１０を参照すると、各画像について適切なタグ・データのカメラ操作者による選択のために、メタデータ選択ボックス１８２、１８４および１８６が設けられることができる。ディスプレイ１４からの新たに選択されタグ付けされた画像は次いで、ディスプレイ２０上のテンプレート１００（図９）に挿入されることができる。
【００３９】
別の実施形態では、他の装置からの一つまたは複数のソフトコピー・ブック制作物がディスプレイ１４および２０の一方で共有され、表示されることができる。たとえば、ソニー社からのソニー（登録商標）eReaderのようなポータブル装置からダウンロードされた文書が、テキスト・コンテンツとともに、そして任意的に画像コンテンツとともに、表示されることができる。
【００４０】
この実施形態の画像アルバム・セットアップ機能を使って、電子アルバムまたはストーリーブックがカメラ操作者によって作成される、あるいは修正されることができる。アルバムまたはストーリーブック制作物をパーソナル化するために画像が追加または更新されることができる。
【００４１】
図１１Ａ、１１Ｂおよび１１Ｃは、デジタル・カメラ１０について第二のディスプレイ２０および第三のディスプレイ７０が設けられている代替的な実施形態を示している。ここで、第二および第三のディスプレイ２０および７０は観音開き式に開き、追加幅のあるパノラマ・ビューを可能にしたり、あるいは単に操作者コントロール２６のためのより多くの余地を与えたりする。この配置では、第二および第三のディスプレイ２０および７０の一方または両方が代替的に取り外し可能であってもよい。一つまたは複数のディスプレイ１４、２０および７０はスチールまたは動画撮像物のために使われることができる。いずれかの補助ディスプレイ２０または７０への電力は、デジタル・カメラ１０の背面を開けてこれらのディスプレイを示す操作者に対してそのディスプレイの表面が少なくとも見えるまで、オフのままであってもよい。さらに、ディスプレイ２０および７０の一方または両方は、装置電力または有効化のためのスイッチを作動させるために使われることができる。こうして、たとえば、デジタル・カメラ１０は、ユーザーによって電源投入されてもよいし、あるいは第二および第三のディスプレイ２０および７０の一方または両方を開く動作を通じて特定の動作モードに設定されてもよい。
【００４２】
図１２Ａ、１２Ｂ、１２Ｃおよび１２Ｄはディスプレイ１４、２０および７０のさまざまな配位およびシーンのライブ・ビューを呈示するための各ディスプレイの使用を示す。第一、第二および第三のディスプレイ１４、２０および７０を備えるとき、各ディスプレイはデジタル・カメラ１０によって取り込まれるシーンのライブ・ビューを表示するために選択可能であることができる。制御ボタン２００は、ユーザーがライブ・ビューを、図１２Ｂに示されるようなディスプレイ２０、図１２Ｃに示されるようなディスプレイ１４および図１２Ｄに示されるようなディスプレイ７０の間でトグルさせることを可能にする。
【００４３】
制御ボタン２００の逐次的操作は、ライブ・ビューをディスプレイ間で切り替わらせる。そのようなデジタル・カメラ１０上でのライブ・ビューの位置付けは、ユーザーが、相変わらず取り込まれようとしているものを見ることができるまま、幅広い多様な取り込み位置においてカメラを保持することを可能にする。図１２Ａに示されるように、ディスプレイ２０および７０は、ディスプレイ１４を含むメイン・カメラ・ボディに回転式にマウントされており、デジタル・カメラ１０が自立し、安定になることを許容するのに有用な静止位置Ｘ、ＹおよびＺをなす。この配位はさらに、異なるアングルからのシーンのライブ・ビューを見ることにおいてユーザーを支援する。代替的な配置では、ボタン２００のさらなる逐次的な作動は、ライブ・ビューが、三つのディスプレイ１４、２０および７０すべてまたは任意の所望されるディスプレイ（単数または複数）上で複製されることを可能にする。
【００４４】
図１３は、ディスプレイの相異なる領域への分割を示している。図１２Ａに示されたのと同様の結果が、図１３に示されるように大きなディスプレイ１４をディスプレイ領域Ｄ、ＥおよびＦに分割することによって達成される。ボタン２００で同様の技法を使って、ユーザーはシーンのライブ・ビューを、自分にとってよりよい可視性を可能にする、ディスプレイ１４のより便利な領域に移すことができる。ディスプレイ１４は、図１２Ａにおけるディスプレイ１４、２０および７０と同様に凹型または凸型の像を提供するよう柔軟（flexible）であることができる。
【００４５】
図１４は、コンテナ１４０を使ってビデオ・コンテンツを表示するデジタル・カメラ１０の実施形態である。図１４では、デジタル・カメラ１０は、テンプレート１００内のコンテナ１４０を使って、図９に示されたようにビデオ・コンテンツを表示する。カメラ自身から得られたかローカルのもしくはネットワーク接続されたホスト・コンピュータまたは他の型のパーソナル・コンテンツ・サーバーからダウンロードされた、高精細度（ＨＤ）ビデオのようなビデオ・コンテンツが表示される。ディスプレイ１４および２０さらに任意的なディスプレイ７０をもつデジタル・カメラ１０はまた、ビデオを表示し、サウンドトラック・オーディオを含むオーディオ・コンテンツを提供するために使用されることができる。これは使用の幅広い可能性を可能にし、デジタル・カメラ１０がたとえばローカルのまたはネットワーク接続されたコンピュータ・ホストにビデオ・コンテンツをアップロードまたはダウンロードすることを許容する。
【００４６】
ディスプレイ１４、２０および７０の一つまたは複数にムービー７８が表示されることができる。これらのディスプレイの二つ以上のものの諸部分での表示も含まれる。一つまたは複数のスピーカー７２がデジタル・カメラ１０の一部として設けられる。一つまたは複数のスピーカー７２は、ディスプレイ２０または７０の一方または両方と同じパネル上に設けられることができる。スピーカー音方向は、オーディオ信号をカメラの各側に向けることによって、視聴者にとって最適化されることができる。ビデオ・コンテンツに関係したさまざまな動作を制御するためにコントロール７４が設けられることができる。該動作は、ビデオをアップロードまたはダウンロードすること、ダウンロードされたビデオまたはオーディオについての支払いをすること、オーディオ音量の制御、表示輝度の制御、プログラム選択機能、一時停止、早送り／早戻しおよびその他の機能を含む。第二のディスプレイ２０は、取り外し可能であってもよく、カメラ上ディスプレイ１４の遠隔操作のためのコントロールを提供してもよい。任意的に、ビデオはカメラ・ディスプレイ１４から制御されて、取り外し可能ディスプレイ２０上に表示されることができる。
【００４７】
ディスプレイ７０はまた、ムービーに関係したアートワーク７６を示したり、あるいはムービーに関係したテキスト、サウンドトラックまたは音楽の歌詞を提供したりしてもよい。ビデオ・コンテンツは、テンプレート１００内のコンテナを使うのと同様にして他のコンテンツにマージされることができる。このように、テンプレート１００は、当該カメラ上または他の何らかの装置上での表示のためにビデオ制作物を編成し、提供するための媒体であることができる。
【００４８】
オーディオ機能はデジタル・カメラ１０が操作者の音楽またはコレクションからダウンロードされた他のオーディオを再生することを許容する。このコレクションは、iPod（商標）または他の任意の好適なオーディオ記憶装置に保存されていることができる。テンプレート１００内のコンテナもこの目的のために使用できる。ビデオおよびオーディオは、リアルタイム無線転送、ストリーミングまたは他の何らかの通信機構を使って他の装置と共有されることもできる。
【００４９】
図１５は、第二のディスプレイ２０をもつデジタル・カメラ１０の基本構成要素の簡略化された概要を示すブロック図である。デジタル・カメラ１０は、画像を得るための光学系４０および画像取り込み回路４２を有する。その画像は次いで画像処理回路４４が処理し、記憶装置４６または第一のディスプレイ１４に送られることができる。制御論理プロセッサ４８は画像取り込み、記憶および表示のシーケンスを監視し、制御する。インターフェース５２は第二のディスプレイ２０を含むハウジング３４をもつ周辺ディスプレイとの接続を許容する。しかしながら、本発明は、第二のディスプレイ２０を含む単一のハウジング３４に制限されるものではなく、いくつの追加的なハウジングおよびディスプレイを使ってもよい。図示した実施形態では、ハウジング３４はデジタル・カメラ１０の単なる周辺ディスプレイ出力装置以上のものである。ハウジング３４は第二のディスプレイ２０を含み、追加的に制御論理プロセッサ６２および記憶装置６０を有することができる。さらに、ハウジング３４は任意的にバッテリー６６を有していてもよい。この構成はデジタル・カメラ１０内でのバッテリー５４への負荷を軽減するであろう。別の実施形態では、第二のディスプレイ２０が制御論理プロセッサ６２、記憶装置６０およびバッテリー６６を含むことができる。
【００５０】
ある実施形態では、デジタル・カメラ１０上およびハウジング３４内のバッテリー５４および６６は一緒に機能して、電力コントロール５６によって制御されてさまざまな配位における諸コンポーネントに電力を提供する。たとえば、電力コントロール５６は、第二のディスプレイ２０またはハウジング３４がデジタル・カメラの本体に取り付けられるとき、バッテリー５６を第二のディスプレイ２０またはハウジング３４のための使用に切り換えることができる。あるいはまた、電力コントロール５６はバッテリー５４または６６のどちらがより完全に充電されているかに依存して、電力をこれらの電源のいずれかに切り換えてもよい。記憶装置６０と一緒に任意的な制御論理プロセッサ６２を使うことは、デジタル・カメラ１０の動作への影響なく、第二のディスプレイ２０の独立した動作を許容することができる。
【００５１】
本発明は、そのある種の好ましい実施形態を特に参照して記載されてきたが、本発明の範囲から外れることなく、以上に記載され、付属の請求項に記される本発明の範囲内でさまざまな変形および修正を行うことができることは、当業者には理解されるであろう。たとえば、先の記述で第二のディスプレイに帰された機能は第一のディスプレイによって実行されることができる。ディスプレイ１４および２０は、異なるサイズであることができ、第二のディスプレイ２０をカメラに結合するためにはいくつもの可能な配置が使われることができる。三つ以上のディスプレイを使用して、たとえば拡大されたパノラマ・ビューを許容したり他の機能を提供したりすることもできる。
【符号の説明】
【００５２】
１０  カメラ
１２  ボディ
１４  ディスプレイ
２０  ディスプレイ
２１  制御ボタン
２２  メニュー項目
２４  サムネイル画像
２５  スチール画像
２６  操作者コントロール
２７  ライブ・ビデオ
２８  無線接続
３０  スタイラス
３２  複合表示領域
３４  ハウジング
４０  光学系
４２  画像取り込み回路
４４  画像処理回路
４６  記憶装置
４８  制御論理プロセッサ
５２  インターフェース
５４  バッテリー
５６  電力制御
６０  記憶装置
６２  制御論理プロセッサ
６６  バッテリー
７０  ディスプレイ
７２  スピーカー
７４  コントロール
７６  アートワーク
７８  ムービー
１００  テンプレート
１２０  コンテナ
１２１  タグ
１３０  コンテナ
１３１  タグ
１４０  コンテナ
１４１  タグ
１５０  コンテナ
１５１  タグ
１６０  コンテナ
１６１  タグ
１７０  コンテナ
１７１  タグ
１８０  コントロール
１８２  選択ボックス
１８４  選択ボックス
１８６  選択ボックス
２００  制御ボタン
Ｄ  表示領域
Ｅ  表示領域
Ｆ  表示領域
Ｘ  静止位置
Ｙ  静止位置
Ｚ  静止位置
【図１】
2010522474.tif 000003
【図２】
2010522474.tif 000004
【図３Ａ】
2010522474.tif 000005
【図３Ｂ】
2010522474.tif 000006
【図３Ｃ】
2010522474.tif 000007
【図４】
2010522474.tif 000008
【図５Ａ】
2010522474.tif 000009
【図５Ｂ】
2010522474.tif 000010
【図６】
2010522474.tif 000011
【図７】
2010522474.tif 000012
【図８】
2010522474.tif 000013
【図９】
2010522474.tif 000014
【図１０】
2010522474.tif 000015
【図１１Ａ】
2010522474.tif 000016
【図１１Ｂ】
2010522474.tif 000017
【図１１Ｃ】
2010522474.tif 000018
【図１２Ａ】
2010522474.tif 000019
【図１２Ｂ】
2010522474.tif 000020
【図１２Ｃ】
2010522474.tif 000021
【図１２Ｄ】
2010522474.tif 000022
【図１３】
2010522474.tif 000023
【図１４】
2010522474.tif 000024
【図１５】
2010522474.tif 000025
【国際調査報告】
2010522474.tif 000026
2010522474.tif 000027
2010522474.tif 000028